(57)【要約】【課題】排水口と側面排水口とを備え、側面排水口からの配管を排水口の配管に接続した排水配管において、排水口から泡まじりの排水を流した場合に、側面排水口から泡が逆流することを容易且つ確実に防止する排水配管を提供する。【解決手段】  槽体の底面に設けられた排水口と、槽体の側面に設けられた側面排水口と、排水口からの排水を下水側に排出する主排水管と、側面排水口からの排水を主排水管の途中部分に排出する枝排水管と、からなる槽体の排水配管において、常時閉塞して排水口からの泡の逆流が側面排水口に生じることを防止すると共に、側面排水口から排水を生じた場合のみ開口して主排水管側への通水を行う逆流防止弁を備えて構成する。【選択図】図２
2017155455.tif 000002
【特許請求の範囲】
【請求項１】
槽体の底面に設けられた排水口と、
槽体の側面に設けられた側面排水口と、
排水口からの排水を下水側に排出する主排水管と、
側面排水口からの排水を主排水管の途中部分に排出する枝排水管と、
からなる槽体の排水配管において、
常時閉塞して排水口からの泡の逆流が側面排水口に生じることを防止すると共に、側面排水口から排水を生じた場合のみ開口して主排水管側への通水を行う逆流防止弁を備えたことを特徴とする排水配管。
【請求項２】
上記排水配管において、逆流防止弁を、側面排水口内又は枝排水管内に備えたことを特徴とする排水配管。
【請求項３】
上記排水配管において、
主排水管上に設けられるか、又は主排水管に沿って設けられる管体である主管部、該主管部の側面から延出された枝管部、からなる枝付き管を備え、
枝付き管の主管部は主排水管側に、枝管部は側面排水口からの配管に、それぞれ接続されると共に、
枝管部内に逆流防止弁を備えたことを特徴とする、請求項１又は請求項２に記載の排水配管。
【請求項４】
上記排水配管において、
主排水管上に設けられるか、又は主排水管に沿って設けられる管体である主管部、該主管部の側面から延出された枝管部、からなる枝付き管を備え、
枝付き管の主管部は主排水管側に、枝管部は側面排水口からの配管に、それぞれ接続されると共に、
枝管部の端部に、逆流防止弁を備えた継手管を接続することを特徴とする、請求項１又は請求項２に記載の排水配管。
【請求項５】
上記排水配管において、逆流防止弁は、
板状の弁体と、
該弁体を管体に対して回動自在に取り付けられるヒンジ部と、
管体に備えられた、弁体が当接する弁座部と、
からなり、
通常時は弁体が管体内面に接して、逆流した排水や排水中の泡の通過を防止すると共に、
排水時には管体内面から離間して側面排水口からの排水や排水中の泡を通過させて排水を行うことを特徴とする、請求項１乃至請求項４のいずれか一つに記載の排水配管。
【請求項６】
上記排水配管において、
逆流防止弁を備えた管体が、他の枝排水管の部材に対して着脱自在に構成され、着脱により開放された箇所から弁体を枝排水管外に取り出し可能に構成したことを特徴とする、請求項に記載の排水配管。
【請求項７】
上記排水配管において、
逆流防止弁の弁体の開き角度に制限を行い、弁体を通過した排水が、弁体に対向する管体の壁面に対して略４５度よりも小さい角度にて衝突するようにしたことを特徴とする、請求項１乃至請求項６のいずれか一つに記載の排水配管。
【発明の詳細な説明】
【技術分野】
【０００１】
本発明は、槽体の排水配管に関するものであって、槽体底面に設けられた排水口からの排水を行う主排水管と、槽体側面に設けられた側面排水口からの排水を行う枝排水管と、からなる排水配管において、側面排水口に排水中の泡が逆流することを防ぐ機能を備えた排水配管に関するものである。
【背景技術】
【０００２】
従来より、洗面台や流し台、浴槽などの槽体に対して、槽体内部の吐水を排出するために、槽体の底面に排水口を設け、この排水口からパイプ管等からなる主排水管を介し、下水側に繋がる床下配管へ排水を行う構造が知られている。また、上記槽体において、必要に応じ、排水口を閉塞して槽体内に吐水を溜める場合がある。この場合に、槽体内に継続して吐水を行うと、最終的には槽体上縁から槽体内の吐水が溢れてしまうため、特許文献１に記載の槽体のように、槽体の側面であって上縁近傍に側面排水口を設けて、この側面排水口から槽体内の排水を排出し、吐水が溢れることを防止する構造も良く知られている。
上記側面排水口からの配管は、ホース管等を利用した枝排水管を介して槽体底面の排水口から床下配管に繋がる主排水管に略Ｔ字形状を成す枝付き管を利用して枝管接続するように構成され、これにより、槽体内の吐水は、側面排水口、枝排水管、枝付き管、主排水管の順に流れ、最終的には下水側の床下配管に排出することができる。
尚、この特許文献１に記載の排水配管においては、枝付き管の上下に延出された縦管部の内部に排水口からの配管を同心円状に収納してなり、排水口からの配管の側面に設けた開口を介して、枝排水管からの排水を主排水管に流入するように構成してなる。
【０００３】
【特許文献１】特開２００９−７４２５０号
【発明の開示】
【発明が解決しようとする課題】
【０００４】
上記のような特許文献１に記載の槽体の排水配管の場合、以下に記載するような問題点があった。
槽体内からの排水には、石鹸や洗剤などに由来する泡が混じる場合が多い。洗面台の場合では手洗いや一部の洗濯物のうち汚れの激しい部位の汚れを取り去る為に特に洗面台で洗う場合があり、この時の石鹸や洗剤に由来する泡が排水に混じる場合がある。また、流し台の場合では、食器を洗った際の洗剤に由来する泡が排水に混じる場合がある。
また、浴槽の場合には入浴後に、浴槽内を洗う場合に使用した洗剤に由来する泡が排水に混じる場合がある。
これらの泡混じりの排水も、上記したように、槽体底面の排水口から主排水管を介して下水側に繋がる床下配管に排出が行われるが、この際に、排水に比べて比重が軽い泡が、主配管内部に留まり、更には枝付き管及び枝排水管を介して側面排水口から槽体内に逆流を生じる場合があった。
上記問題点を解決するため、特許文献１に記載の発明では、排水口からの配管の側面に設けた開口を閉塞する可動式の壁面を設け、排水口が開口するときは壁面により側面排水口からの排水流路を閉口するようにし、上記した泡の逆流の防止を行っている。
しかしながら、上記特許文献１に記載の発明では、排水口を成す管体内面に、可動式の壁面が接しながら上下動するため、摩擦が大きくなり、可動式の壁面の動作が困難である、という問題があった。
また、排水口を閉口する蓋部材に、可動式の壁面を連動するように構成したため、可動式の壁面の動作に不具合が生じると、そのまま蓋部材の排水口への閉口にも不具合が生じ、排水口から漏水が生じる、といった問題があった。
本発明は上記問題点に鑑み発明されたものであって、排水口からの配管に、側面排水口からの配管を接続した排水配管において、排水口から泡まじりの排水を流した場合に、側面排水口から泡が逆流することを容易且つ確実に防止する排水配管に関するものである。
【課題を解決するための手段】
【０００５】
請求項１に記載の本発明は、槽体の底面に設けられた排水口と、槽体の側面に設けられた側面排水口と、排水口からの排水を下水側に排出する主排水管と、側面排水口からの排水を主排水管の途中部分に排出する枝排水管と、からなる槽体の排水配管において、
常時閉塞して排水口からの泡の逆流が側面排水口に生じることを防止すると共に、側面排水口から排水を生じた場合のみ開口して主排水管側への通水を行う逆流防止弁を備えたことを特徴とする排水配管である。
【０００６】
請求項２に記載の本発明は、上記排水配管において、逆流防止弁を、側面排水口内又は枝排水管内に備えたことを特徴とする排水配管である。
【０００７】
請求項３に記載の本発明は、上記排水配管において、
主排水管上に設けられるか、又は主排水管に沿って設けられる管体である主管部、該主管部の側面から延出された枝管部、からなる枝付き管を備え、枝付き管の主管部は主排水管側に、枝管部は側面排水口からの配管に、それぞれ接続されると共に、枝管部内に逆流防止弁を備えたことを特徴とする、請求項１又は請求項２に記載の排水配管である。
【０００８】
請求項４に記載の本発明は、上記排水配管において、
主排水管上に設けられるか、又は主排水管に沿って設けられる管体である主管部、該主管部の側面から延出された枝管部、からなる枝付き管を備え、枝付き管の主管部は主排水管側に、枝管部は側面排水口からの配管に、それぞれ接続されると共に、枝管部の端部に、逆流防止弁を備えた継手管を接続することを特徴とする、請求項１又は請求項２に記載の排水配管である。
【０００９】
請求項５に記載の本発明は、上記排水配管において、
逆流防止弁は、板状の弁体と、該弁体を管体に対して回動自在に取り付けられるヒンジ部と、管体に備えられた、弁体が当接する弁座部と、からなり、通常時は弁体が管体内面に接して、逆流した排水や排水中の泡の通過を防止すると共に、排水時には管体内面から離間して側面排水口からの排水や排水中の泡を通過させて排水を行うことを特徴とする、請求項１乃至請求項４のいずれか一つに記載の排水配管である。
【００１０】
請求項６に記載の本発明は、上記排水配管において、
逆流防止弁を備えた管体が、他の枝排水管の部材に対して着脱自在に構成され、着脱により開放された箇所から弁体を枝排水管外に取り出し可能に構成したことを特徴とする、請求項に記載の排水配管である。
【００１１】
請求項７に記載の本発明は、上記排水配管において、
逆流防止弁の弁体の開き角度に制限を行い、弁体を通過した排水が、弁体に対向する管体の壁面に対して略４５度よりも小さい角度にて衝突するようにしたことを特徴とする、請求項１乃至請求項６のいずれか一つに記載の排水配管である。
【発明の効果】
【００１２】
請求項１に記載の本発明では、排水口からの配管に、側面排水口からの配管を接続した排水配管において、排水口から泡まじりの排水を流した場合に、側面排水口から泡が逆流することを防止することができる。
請求項２乃至請求項５に記載の本発明では、発明の構成を明確化できる。
請求項６に記載の本発明では、逆流防止弁近傍の配管内部を簡単に露出させることができ、清掃や破損時のメンテナンスを容易に行うことができる。
請求項７に記載の本発明では、弁体を一種の排水の為のガイドとして扱うことで、枝管部からの排水が、本管部へ合流する際に、合流がスムーズに行われて乱流の発生を防ぎ、排水性能を良好なものとすることができる。
【図面の簡単な説明】
【００１３】
【図１】第一実施例の施工状態を示す側面図である。
【図２】第一実施例の要部を示す参考図である。
【図３】第一実施例の、排水口を閉口し逆流防止弁が開口した状態を示す参考図である。
【図４】第一実施例の、逆流防止弁の部材構成を示す参考図である。
【図５】第二実施例の施工状態を示す側面図である。
【図６】第二実施例の要部を示す参考図である。
【図７】第二実施例の、排水口を閉口し逆流防止弁が開口した状態を示す参考図である。
【図８】第二実施例の、逆流防止弁の部材構成を示す参考図である。
【実施例】
【００１４】
以下に、本発明の第一実施例を、図面を参照しつつ説明する。
図１乃至図４に示した、本発明の第一実施例の排水配管は、槽体である洗面ボウルＳに施工される排水配管であって、以下に記載する主排水管、枝排水管、逆流防止弁３を備えた継手管１２、から構成され、以下に記載する洗面台に施工される。
洗面ボウルＳは、上方が開口した略箱体形状を成す槽体であって、底面には後述する排水口本体５を取り付ける底面開口部Ｈ１を、側面の上端近傍には側面排水口本体９を取り付ける側面開口部Ｈ２を、それぞれ備えてなる。
主排水管は、洗面ボウルＳの底面の底面開口部Ｈ１に接続され、槽体底面からの排水を下水側に排出するための配管であって、以下に記載する、排水口本体５、テールピース管７、トラップ管８、より構成されてなる。
排水口本体５は、略円筒形状を成す管体であって、上端外側面には外径方向に突出するフランジ部６を備え、該フランジ部６よりも下方の側面に管体の内外を貫通する貫通孔５ａを２カ所備えてなる。また、貫通孔５ａの下方の外側面には、下端まで雄ネジを備えてなる。また、施工完了時、排水口本体５の内部は槽体である洗面ボウルＳ内の排水を排出する排水口１を形成する。
テールピース管７は、略直線状を成す管体からなる部材であって、上端の内周部分に排水口本体５の雄ネジと螺合する雌ネジを備えてなる。
トラップ管８はＳ字形状に屈曲させた管体を、９０度横転させた形状を成す配管部材であって、使用時にその内部に排水を溜めることによってトラップ機能と呼ばれる、下流側から上流側への臭気また害虫類の逆流を防止する機能を備えた部材である。本実施例ではＪ字形状に屈曲した管体を２本組み合わせてＳ字形状となるように構成している。また、トラップ管８の下流側は直下方向に延出されており、トラップ管８の下流側端部と、下水側に繋がる床下配管とが接続されるように構成されてなる。
枝排水管は、洗面台の側面の上端近傍に設けられた、側面開口部Ｈ２に接続され、槽体側面からの排水を主排水管側に排出するための配管であって、以下に記載する、側面排水口本体９、エルボ管１０、ホース管１１、枝付き管４、継手管１２、より構成されてなる。
側面排水口本体９は、略円筒形状を成す管体であって、その一端の外側面には外径方向に突出する鍔部９ａを備えてなる。また、側面排水口本体９の外側面には、下龍側端部まで雄ネジを備えてなる。また、施工完了時、側面排水口本体９の内部は槽体である洗面ボウルＳ内の排水を排出する側面排水口２を形成する。
エルボ管１０は、９０度に屈曲した管体からなる部材であって、上流側の端部の内周部分に側面排水口本体９の雄ネジと螺合する雌ネジを備えてなる。
ホース管１１は洗面ボウルＳの外側面に沿って配置される、可撓性を備えた管体であって、一端はエルボ管１０の下流側端部に接続され、他端には、内部に雌ネジを備えたナット部材１１ａを回動自在に備えてなる。
枝付き管４は、上下に延出された主管部４ａと、該主管部４ａの側面から延出された枝管部４ｂ、から構成される管体である。この枝管部４ｂの端部の外周の外径は、一般的な規格品のホース管１１の内の一つ（例えば管径３０ミリメートル）の寸法の内径に合致するに構成されてなる。
また、後述するように、施工完了時、主管部４ａの内部に、排水口本体５の一部が同心円状に収納配置される。即ち、主管部４ａは、主排水管の一部である排水口本体５に沿って設けられる管体である。
継手管１２は、その内部に逆流防止弁３を構成する管体であって、以下に記載する継手管本体１３と、弁本体１５と、弁押え部材１６と、から構成される。
継手管本体１３は略円筒形状を成す管体であって、上流側端部は外側面にホース管１１のナット部材１１ａの雌ネジと螺合する雌ネジを備えてなり、またその内部には、後述する弁本体１５の回転軸１５ｂを回動自在に収納する溝部１４を備えてなる。
また、継手管本体１３の下流側端部は、その内径が一般的な規格品のホース管１１の内の一つの内径と同じ寸法に構成されてなる。ここでは、上記枝付き管４の枝管部４ｂ端と同様の、管径３０ミリメートルとなるように構成されている。このため、継手管本体１３の上記端部は、枝付き管４の枝管部４ｂに対し、枝管部４ｂ端部をその内部に収納するようにして接続することができる。
弁押え部材１６は、後述する弁本体１５を継手管本体１３の端部からその内部に配置した後、更に継手管１２端部より挿入するリング状の部材であって、溝部１４に配置された回転軸１５ｂが端部側より抜けないように押えると共に、通常時、また逆流の発生時に弁本体１５の弁体１５ａが当接して逆流した泡の通過を防ぐ弁座部１６ａを備えてなる。
弁本体１５は、略円盤状の部材であって、弁座部１６ａに当接して継手管１２内の流路を閉塞する弁体１５ａと、該弁体１５ａの端部に備えられた、溝部１４に回動自在に配置される回転軸１５ｂと、から構成されてなる。
施工完了時、弁本体１５が継手管本体１３内に、回動自在に収納配置された場合、弁本体１５の弁体１５ａは、通常時は自重にて垂立した状態となることで弁座部１６ａに当接し、排水の流路を閉塞する。このため、枝付き管４の枝管部４ｂから、泡等が逆流を生じても、弁本体１５よりも上流側に逆流が上昇することを防止する。
一方、側面排水口２から流れてきた排水が逆流防止弁３に達した場合、排水の水圧によって弁部材は回転軸１５ｂを中心に回転し、弁体１５ａが弁座部１６ａから離間して排水の流路を開口し、これにより排水を下流側に流出することができる。
即ち、本実施例の継手管１２は、常時は閉塞し、側面排水口２から排水を生じた場合のみ開口する逆流防止弁３をその内部に備えてなる。また、本実施例では、弁本体１５は回転軸１５ｂと溝部１４とを組み合わせたことでヒンジ部３ａを形成する。即ち、本実施例の逆流防止弁３は、管体（継手管１２）に対して回動自在に取り付けられるヒンジ部３ａを備えた弁体１５ａからなる。
また、本実施例の排水配管は、必要に応じ排水口本体５の上端の開口を覆って閉塞する、弾性素材からなる蓋部材１７を備えてなる。
【００１５】
上記した各部材から構成される排水配管は、以下のようにして洗面台に施工される。
尚、本実施例において、特に詳述しない場合でも、各配管の接続箇所等は、必要に応じ接着やパッキングを利用した接続により、漏水などが生じないように構成されてなる。
始めに、工場等において、ホース管１１のナット部材１１ａを備えない側の端部に、エルボ管１０の下流側端部を接着によって水密的に接続する。
また、継手管本体１３の下流側端部に、枝付き管４の枝管部４ｂを、接着によって水密的に接続する。
また、継手管本体１３の溝部１４に弁本体１５の回転軸１５ｂを収納し、更に弁押え部材１６を継手管本体１３内に挿入して、継手管本体１３内に逆流防止弁３を構成する。
更に、ホース管１１のナット部材１１ａの雌ネジを継手管本体１３の雄ネジに螺合させて、継手管本体１３をホース管１１に水密的且つ着脱自在に接続する。
上記のようにして枝排水管の一部を構成した上で、施工現場に各部材を搬入し、次のようにして施工を行う。
施工現場において、まず、キャビネットや台座等を設置した上で、その上に洗面ボウルＳを配置して洗面台を構成する。また、この際のキャビネット下の床面には開口が設けられ、開口部分から下水側に繋がる、床下空間に配管された床下配管に管体を接続できるように構成されてなる。
次に、洗面ボウルＳの底面開口部Ｈ１に排水口本体５を挿通し、排水口本体５のフランジ部６下面と、底面開口部Ｈ１周縁の上面とが当接するように配置する。更に枝付き管４を、洗面ボウルＳの下方側から配置する。この時は、枝付き管４の主管部４ａの内部に、主管部４ａと排水口本体５とが同心円状になるように、枝付き管４を挿通させる。また、枝管部４ｂが側面排水口２側を向く方に配置しておく。
次に、排水口本体５の下端から、排水口本体５の雄ネジにテールピース管７の雌ネジを螺合させて締め付けを行う。この時、枝付き管４の主管部４ａは、上端は洗面ボウルＳの底面開口部Ｈ１周縁の下面に、下端はテールピース管７の上端にそれぞれ水密的に当接した状態となる。
このようにして、底面開口部Ｈ１の周縁を、枝付き管４の主管部４ａを介して、排水口本体５のフランジ部６とテールピース管７上面とで挟持することで、排水口本体５及びテールピース管７が洗面ボウルＳに接続固定される。
次に、洗面ボウルＳの側面開口部Ｈ２の周縁の裏面側に、エルボ管１０の上流側端部を当接させた上で、側面排水口本体９を側面開口部Ｈ２に挿通し、側面排水口本体９の雄ネジを、エルボ管１０の雌ネジに螺合させ、締め付けを行う。
このようにして、側面開口部Ｈ２の周縁を、側面排水口本体９の鍔部９ａとエルボ管１０の上流側端部とで挟持することで、側面排水口本体９及びエルボ管１０が洗面ボウルＳに接続固定される。
更に、テールピース管７の下流側端部にトラップ管８の上流側端部を接続し、トラップ管８の下流側端部を床下配管に接続して、本実施例の排水配管の、洗面台への施工が完了する。
尚、継手管１２を上記のように構成・接続したことから、本実施例の排水配管は、常時は閉塞し、側面排水口２から排水を生じた場合のみ開口する逆流防止弁３を備えた継手管１２を、枝管部４ｂの端部に接続した排水配管である。
【００１６】
上記のように構成した配管構造において、洗面台を使用し、洗面ボウルＳ内に排水が発生すると、排水は、洗面ボウルＳ底面に配置された排水口本体５内部の排水口１から、排水口本体５内部、テールピース管７、トラップ管８、の順に通過し、最終的には床下配管から下水側に排出される。
また、上記排水口１に、図３のように蓋部材１７を配置して排水口１からの排水が行われないようにした上で、洗面ボウルＳ内に吐水を行うと、吐水は排出されること無く洗面ボウルＳ内に吐水が溜まってゆく。溜まった吐水の水位が側面排水口２の下端よりも上方に達すると、洗面ボウルＳ内に溜まった吐水は側面排水口２から、側面排水口本体９内部、エルボ管１０、ホース管１１、継手管１２、枝付き管４の枝管部４ｂ、枝付き管４の主管部４ａ内から排水口本体５の貫通孔５ａを介して排水口本体５内に流入し、更に（排水口１からの排水の場合と同様に）テールピース管７、トラップ管８、の順に通過し、最終的には床下配管から下水側に排出される。
尚、上記のように側面排水口２から排水が行われる場合、排水が継手管１２内を通過する際に、図３に示したように、排水の水圧によって継手管１２の内部で弁本体１５が回転軸１５ｂを中心に回動して排水の流路を開放し、排水の通過が行われる。排水が終了し、継手管１２内から排水が無くなると、弁本体１５は再び弁本体１５の自重によって垂立した状態となることで弁座部１６ａに当接し、排水の流路を閉塞する。
また、上記のようにして排水が行われ、トラップ管８内を排水が通過する際、トラップ管８の屈曲部分の内部に排水の溜まり部分が生じる。この排水の溜まり部分によって、トラップ管８内の流路には、（長期間の放置によって蒸発しない限り）排水が常に満水状態となっている箇所が発生する。この、流路が排水によって満水となった部分によって、下流側から臭気や害虫類が屋内側に逆流することが防止される。このように、下水側に繋がる配管から臭気や害虫類が屋内側に侵入することを防止する機能を「トラップ機能」と呼ぶ。また、上記トラップ管８の曲がり部分に溜まって流路を満水状態とした排水は「封水」と呼ばれる。本実施例のトラップ管８は、封水を利用してトラップ機能を生じさせた、「封水式排水トラップ」である。
【００１７】
上記のように構成した配管構造において、洗面台にて石鹸・洗剤などを使用し、洗面ボウルＳ内に泡混じりの排水を発生させた上で、この排水を排水口１から排出した場合、泡混じりの排水は、洗面ボウルＳ底面に配置された排水口本体５内部の排水口１から、排水口本体５内部、テールピース管７、トラップ管８、の順に通過し、最終的には床下配管から下水側に排出される。
この場合において、排水配管上に封水式排水トラップを備えたことで、排水中の泡が下流側に流出しにくくなる状態が発生する。詳述すると、封水式排水トラップを含む配管において、排水等が封水の部分を通過して下流側に流出するためには、封水の水面よりも下方になる位置まで通過しなければならないが、泡は気体を含有している為、排水に比べて比重は相当に軽く、封水水面よりも下方に下がるためには泡と共に流れる排水の勢いが相当に強くなければならない。このため、排水の量が少なく、勢いが弱かったり、排水の終了間際で排水の流れの勢いが弱まった状態の際に流れ込む泡は、封水を超えることができず、封水よりも上流側に残留する。
この場合に、洗面ボウルＳ側面の排水口１からは排水が継続して流れている場合が多く、泡は封水の水面上から堆積してゆき、排水口本体５内部、貫通孔５ａ、枝付き管４の主管部４ａ内、枝管部４ｂ、まで充満するが、本実施例では、継手管１２内において、常時は閉塞し、側面排水口２から排水を生じた場合のみ開口する逆流防止弁３を備えてなる。具体的には、継手管本体１３の内部において、弁本体１５が弁座部１６ａに通常時当接すると共に、下流側から上流側へ泡の圧力が生じても、そのまま弁本体１５の弁体１５ａが、弁座部１６ａに強く当接して、確実に泡の逆流を防止する。
このため、排水中に石鹸・洗剤などに由来する泡が混入していても、継手管１２の逆流防止弁３によって逆流が防止され、側面排水口２から泡が逆流して溢れ出す、ということは無い。
【００１８】
また、上記継手管１２の逆流防止弁３の回動する回転軸１５ｂのように、機械要素を備えた場合、排水中の塵芥や油分、また泡の原因となった石鹸・洗剤成分などが回転軸１５ｂ等に付着したり、また弁体１５ａと弁座部１６ａとの間に付着し弁体１５ａから弁座部１６ａを離間し難くする場合があるが、本実施例では、継手管１２の端部とホース管１１とをナット部材１１ａを利用して接続しており、ナット部材１１ａの螺合を緩めることで、ホース管１１と継手管１２とを容易に着脱・分離することができる。このようにホース管１１と継手管１２とを着脱・分離し、弁本体１５や弁押え部材１６を取り出して、各部材や継手管１２内部を清掃し、再度接続を行うことで、上記の様に排水中の石鹸や洗剤、塵芥や油分等の汚濁物質などに由来する動作異常を容易に解消することができる。また、部材の破損等による動作異常が発生しても、同様にホース管１１と継手管１２とを容易に着脱・分離し、破損した部材（弁本体１５や弁押え部材１６）の交換を行う等することで、容易に修理作業を行うことができる。
即ち、本実施例では、逆流防止弁３を備えた枝排水管の管体である継手管１２が、他の枝排水管の部材であるホース管１１に対して着脱自在に構成され、着脱により開放された箇所から弁体１５ａを枝排水管外に取り出して部材交換や清掃が可能に構成されてなる。
【００１９】
次に、本発明の第二実施例を、図面を参照しつつ説明する。
図５乃至図８に示した、本発明の第二実施例の排水配管は、槽体である洗面ボウルＳに施工される排水配管であって、以下に記載する枝付き管４、トラップ管８、側面排水口本体９、エルボ管１０、ホース管１１、弁本体１５より構成されてなる。
この内、トラップ管８、側面排水口本体９、エルボ管１０、ホース管１１は、段落００１４に記載された第一実施例の各部材と同一の構成のため、説明は省略し、洗面ボウルＳ、枝付き管４、弁本体１５、及び弁押え部材１６の構造について説明する。
洗面ボウルＳは、上方が開口した略箱体形状を成す槽体であって、底面には上下に貫通した開口からなる排水口１を、側面の上端近傍には側面排水口本体９を取り付ける側面開口部Ｈ２を、それぞれ備えてなる。また、排水口１周縁の下面には、後述するビス部材１８ａを螺合するためのネジ穴部１８ｂを複数備えてなる。
枝付き管４は、上下に延出された主管部４ａと、該主管部４ａの側面から延出された枝管部４ｂ、から構成される管体であって、主管部４ａの上面には外周方向に突出したフランジ部６を備え、また該フランジ部６の数カ所に、後述するビス部材１８ａが貫通するための穴部６ａを備えてなる。
また枝管部４ｂの外側面にはホース管１１のナット部材１１ａの雌ネジと螺合する雄ネジを備えてなり、またその内部には、弁本体１５の回転軸１５ｂを回動自在に収納する溝部１４を備えてなる。
弁押え部材１６は、後述する弁本体１５を枝付き管４の枝管部４ｂの端部からその内部に配置した後、更に枝管部４ｂ端部より挿入するリング状の部材であって、溝部１４に配置された回転軸１５ｂが端部側より抜けないように押えると共に、通常時、また逆流の発生時に弁本体１５の弁体１５ａが当接して逆流した泡の通過を防ぐ弁座部１６ａを備えてなる。
弁本体１５は、略円盤状の部材であって、弁座部１６ａに当接して枝管部４ｂ内の流路を閉塞する弁体１５ａと、該弁体１５ａの端部に備えられた、溝部１４に回動自在に配置される回転軸１５ｂと、から構成されてなる。
施工完了時、弁本体１５が枝管部４ｂ内に、回動自在に収納配置された場合、弁本体１５の弁体１５ａは、通常時は自重にて垂立した状態となることで弁座部１６ａに当接し、排水の流路を閉塞する。このため、枝付き管４の主管部４ａから、泡等が逆流を生じても、弁本体１５よりも上流側に逆流が上昇することを防止する。
一方、側面排水口２から流れてきた排水が逆流防止弁３に達した場合、排水の水圧によって弁部材は回転軸１５ｂを中心に回転し、弁体１５ａが弁座部１６ａから離間して排水の流路を開口し、これにより排水を下流側に流出することができる。
即ち、本実施例の枝付き管４の枝管部４ｂは、常時は閉塞し、側面排水口２から排水を生じた場合のみ開口する逆流防止弁３をその内部に備えてなる。また、本実施例では、弁本体１５は回転軸１５ｂと溝部１４とを組み合わせたことでヒンジ部３ａを形成する。即ち、本実施例の逆流防止弁３は、管体（枝管部４ｂ）に対して回動自在に取り付けられるヒンジ部３ａを備えた弁体１５ａからなる。
また、本実施例の枝付き管４と逆流防止弁３においては、枝付き管４の枝管部４ｂ内に弁体１５ａの回動の程度をコントロールする突起部分４ｃを設けてなる。
この突起部分４ｃによって、弁本体１５の弁体１５ａは、最も開いた時（弁座部１６ａから離間した時）、その先端が枝付き管４の主管部４ａ内に突出すると共に、弁体１５ａの平面と、主管部４ａの弁体１５ａに対向する面とが成す角度（図７のＡで示される角度）が略４５度以下となるように構成されてなる。これにより、枝管部４ｂを通過して主管部４ａ内に流入する排水は、主管部４ａの弁体１５ａに対向する面に衝突する場合でも、弁体１５ａがガイドとなって４５度より小さい角度で衝突することとなり、衝突の衝撃が（壁面に正面から衝突する等４５度を超える角度で衝突する場合に比べ）小さくなり、本管部へ合流する際に、合流がスムーズに行われて乱流の発生を防ぎ、排水性能を良好なものとすることができる。
尚、本実施例では上記のように弁本体１５の弁体１５ａは、最も開いた時、弁体１５ａの平面と、主管部４ａの弁体１５ａに対向する面とが成す角度を略４５度以下となるように構成したが、要求されるのは弁体１５ａにガイドされて枝管部４ｂを通過した排水が、対向する壁面に衝突する際に略４５度以下となることであって、弁体１５ａを通過してから対向する壁面に衝突するまでに重力によって多少下方に屈曲するため、その分を見越して、弁体１５ａが最も開いた時、弁体１５ａの平面と、主管部４ａの弁体１５ａに対向する面とが成す角度が５５度程度までであれば、ほぼ確実に、排水が枝管部４ｂに対向する壁面に衝突する際に略４５度以下とすることができる。もちろん、確実さを求めるのであれば、上記本実施例のように、略４５度以下となるようにすることで確実に略４５度以下とすることができる。
ビス部材１８ａは、枝付き管４を洗面ボウルＳ下面に取り付けるための雄ネジを備えた部材であって、枝付き管４の穴部６ａを貫通した上で、洗面ボウルＳの下面のネジ穴部１８ｂに螺合するように構成されてなる。
また、本実施例の排水配管は、必要に応じ排水口本体５の上端の開口を覆って閉塞する、弾性素材からなる蓋部材１７を備えてなる。
【００２０】
上記した各部材から構成される排水配管は、以下のようにして洗面台に施工される。
尚、本実施例において、特に詳述しない場合でも、各配管の接続箇所等は、必要に応じ接着やパッキングを利用した接続により、漏水などが生じないように構成されてなる。
始めに、工場等において、ホース管１１のナット部材１１ａを備えない側の端部に、エルボ管１０の下流側端部を接着によって水密的に接続する。
また、枝付き管４の溝部１４に、弁本体１５の回転軸１５ｂを収納し、更に弁押え部材１６を枝管部４ｂ内に挿入して、枝管部４ｂ内に逆流防止弁３を構成する。
更に、ホース管１１のナット部材１１ａの雌ネジを枝付き管４の枝管部４ｂの雄ネジに螺合させて、枝付き管４をホース管１１に水密的且つ着脱自在に接続する。
上記のようにして枝排水管の一部を構成した上で、施工現場に各部材を搬入し、次のようにして施工を行う。
施工現場において、まず、キャビネットや台座等を設置した上で、その上に洗面ボウルＳを配置して洗面台を構成する。また、この際のキャビネット下の床面には開口が設けられ、開口部分から下水側に繋がる、床下空間に配管された床下配管に管体を接続できるように構成されてなる。
次に、洗面ボウルＳの排水口１周縁の下面に枝付き管４のフランジ部６を当接させ、更にフランジ部６に複数設けられた穴部６ａを介した上でビス部材１８ａをネジ穴部１８ｂに螺合させて、枝付き管４を洗面ボウルＳに接続固定する（前述のように、必要に応じてパッキングを利用し水密的に接続する）。
また、この接続の際には、枝管部４ｂが側面排水口２側を向く方に配置しておく。
次に、洗面ボウルＳの側面開口部Ｈ２の周縁の裏面側に、エルボ管１０の上流側端部を当接させた上で、側面排水口本体９を側面開口部Ｈ２に挿通し、側面排水口本体９の雄ネジを、エルボ管１０の雌ネジに螺合させ、締め付けを行う。
このようにして、側面開口部Ｈ２の周縁を、側面排水口本体９の鍔部９ａとエルボ管１０の上流側端部とで挟持することで、側面排水口本体９及びエルボ管１０が洗面ボウルＳに接続固定される。
更に、枝付き管４の下端にトラップ管８の上流側端部を接続し、トラップ管８の下流側端部を床下配管に接続して、本実施例の排水配管の、洗面台への施工が完了する。
尚、枝付き管４の枝管部４ｂを上記のように構成・接続したことから、本実施例の排水配管は、常時は閉塞し、側面排水口２から排水を生じた場合のみ開口する逆流防止弁３を、枝付き管４の枝管部４ｂに備えた排水配管である。
【００２１】
上記のように構成した配管構造において、洗面台を使用し、洗面ボウルＳ内に排水が発生すると、排水は、洗面ボウルＳ底面の排水口１から、枝付き管４の主管部４ａ内部、トラップ管８、の順に通過し、最終的には床下配管から下水側に排出される。
また、上記排水口１に、図７のように蓋部材１７を配置して排水口１からの排水が行われないようにした上で、洗面ボウルＳ内に吐水を行うと、吐水は排出されること無く洗面ボウルＳ内に吐水が溜まってゆく。溜まった吐水の水位が側面排水口２の下端よりも上方に達すると、洗面ボウルＳ内に溜まった吐水は側面排水口２から、側面排水口本体９内部、エルボ管１０、ホース管１１、枝付き管４の枝管部４ｂから、（排水口１からの排水の場合と同様に）枝付き管４の主管部４ａ内、トラップ管８、の順に通過し、最終的には床下配管から下水側に排出される。
尚、上記のように側面排水口２から排水が行われる場合、排水が枝管部４ｂ内を通過する際に、図７に示したように排水の水圧によって枝管部４ｂの内部で弁本体１５が回転軸１５ｂを中心に回動して排水の流路を開放し、排水の通過が行われる。排水が終了し、枝管部４ｂ内から排水が無くなると、弁本体１５は再び弁本体１５の自重によって垂立した状態となることで弁座部１６ａに当接し、排水の流路を閉塞する。
また、この逆流防止弁３の弁体１５ａを排水が通過する際には、前述のように、突起部分４ｃによって弁体１５ａの開口の程度がコントロールされ、弁体１５ａの平面と、主管部４ａの弁体１５ａに対向する面とが成す角度（図７のＡで示される角度）が最大でも略４５度以下となるように構成されてなる。これにより、弁体１５ａが一種のガイドとなって、枝管部４ｂに対向する主管部４ａの壁面に対し、排水は４５度より小さい角度で衝突することとなり、衝突の衝撃が小さくなり、本管部へ合流する際に、合流がスムーズに行われて乱流の発生を防ぎ、排水性能を良好なものとすることができる。
また、上記のようにして排水が行われた際に、トラップ管８内に排水が溜まることで、トラップ管８が、下流側からの臭気や害虫類の逆流を防止する「封水式排水トラップ」となることは、第一実施例で記載した通りである。
【００２２】
上記のように構成した配管構造において、洗面台にて石鹸・洗剤などを使用し、洗面ボウルＳ内に泡混じりの排水を発生させた上で、この排水を排水口１から排出した場合、泡混じりの排水は、洗面ボウルＳ底面の排水口１から、枝付き管４の主管部４ａ内部、トラップ管８、の順に通過し、最終的には床下配管から下水側に排出される。
この場合において、第一実施例と同様に、排水配管上に封水式排水トラップを備えたことで、排水中の泡が下流側に流出しにくくなる状態が発生する。
この場合に、泡は封水の水面上から堆積してゆき、枝付き管４の主管部４ａ内部に充満するが、本実施例では枝付き管４の枝管部４ｂ内において、常時は閉塞し、側面排水口２から排水を生じた場合のみ開口する逆流防止弁３を備えてなる。具体的には、枝管部４ｂの内部において、弁本体１５が弁座部１６ａに通常時当接すると共に、下流側から上流側へ泡の圧力が生じても、そのまま弁本体１５の弁体１５ａが、弁座部１６ａに強く当接して、確実に泡の逆流を防止する。
このため、排水中に石鹸・洗剤などに由来する泡が混入していても、継手管１２の逆流防止弁３によって逆流が防止され、側面排水口２から泡が逆流して溢れ出す、ということは無い。
【００２３】
また、上記枝管部４ｂの逆流防止弁３が、第一実施例と同様に、排水中の塵芥や油分、また泡の原因となった石鹸・洗剤成分などの汚濁物質、また弁本体１５の破損等によって動作異常を生じる場合があるが、本実施例では、枝管部４ｂの端部とホース管１１とをナット部材１１ａを利用して接続しており、ナット部材１１ａの螺合を緩めることで、ホース管１１と枝管部４ｂとを容易に着脱・分離することができる。これにより、弁本体１５や弁押え部材１６を取り出して各部材や枝管部４ｂ内部を清掃し、また弁本体１５や弁押え部材１６が破損していた場合は部材の交換を行う等した上で、再度ホース管１１と枝管部４ｂとを接続することで、容易に動作異常を解消したり、破損の修理作業を行うことができる。
即ち、本実施例では、逆流防止弁３を備えた枝排水管の管体である枝管部４ｂが、他の枝排水管の部材であるホース管１１に対して着脱自在に構成され、着脱により開放された箇所から弁体１５ａを枝排水管外に取り出して部材交換や清掃が可能に構成されてなる。
【００２４】
本発明の実施例は以上のようであるが、本発明は上記実施例に限定される物ではなく、主旨を変更しない範囲において自由に変更が可能である。
例えば上記実施例においては、排水配管が施工される排水機器は洗面台の洗面ボウルＳであるが、本発明は上記実施例に限定されるものでは無く、浴槽の排水配管や、流し台の排水配管など、どの様な排水機器の排水配管に採用しても構わない。
また、上記実施例では、枝付き管４の主管部４ａを鉛直方向に、枝管部４ｂを水平方向に、それぞれ配置してなるが、本発明は上記実施例に限定されるものでは無く、主管部４ａを水平方向に、枝管部４ｂを略鉛直方向に配置する等しても構わない。
また、上記実施例では、枝付き管４の主管部４ａと枝管部４ｂとはほぼ９０度となるように構成されてなるが、本発明は上記実施例に限定されるものでは無く、主管部４ａに対して枝管部を例えば７０度など傾斜する角度にて構成しても構わない。
また、上記実施例では、逆流防止弁３を側面排水口２からの流路上に配置して構成してなるが、本発明は上記実施例に限定されるものでは無く、排水口１からの流路上であって、側面排水口２からの排水が合流する開口箇所に逆流防止弁３を配置するように構成しても構わない。
【符号の説明】
【００２５】
１      排水口                  ２      側面排水口
３      逆流防止弁              ３ａ    ヒンジ部
４      枝付き管                ４ａ    主管部
４ｂ    枝管部                  ４ｃ    突起部分
５      排水口本体              ５ａ    貫通孔
６      フランジ部              ６ａ    穴部
７      テールピース管          ８      トラップ管
９      側面排水口本体          ９ａ    鍔部
１０    エルボ管                １１    ホース管
１１ａ  ナット部材              １２    継手管
１３    継手管本体              １４    溝部
１５    弁本体                  １５ａ  弁体
１５ｂ  回転軸                  １６    弁押え部材
１６ａ  弁座部                  １７    蓋部材
１８ａ  ビス部材                １８ｂ  ネジ穴部
Ｓ      洗面ボウル              Ｈ１    底面開口部
Ｈ２    側面開口部
【図１】
2017155455.tif 000003
【図２】
2017155455.tif 000004
【図３】
2017155455.tif 000005
【図４】
2017155455.tif 000006
【図５】
2017155455.tif 000007
【図６】
2017155455.tif 000008
【図７】
2017155455.tif 000009
【図８】
2017155455.tif 000010